Podtech/llm-jp-corpus-v4-ja_patent huggingface dataset:
(57)【要約】  【課題】  軽い着用感を得られるブルゾン型の上着を提供する。  【解決手段】  左右前身頃(１)と、後ろ身頃(２)及び袖部(３)とで構成したブルゾン型の上着であって、前身頃(１)及び後ろ身頃(２)におけるネックポイント(５)(８)とショルダーポイント(６)(９)とを結ぶショルダーシーム形成線(７)を、下に凸の凹曲線に形成した。【選択図】    図２
2007254925.tif 000002
【特許請求の範囲】
【請求項１】
左右前身頃(１)と、後ろ身頃(２)及び袖部(３)とで構成したブルゾン型の上着であって、前身頃(１)及び後ろ身頃(２)におけるネックポイント(５)(８)とショルダーポイント(６)(９)とを結ぶショルダーシーム形成線(７)を、下に凸の凹曲線に形成したことを特徴とするブルゾン型上着。
【請求項２】
凹曲線状のショルダーシーム形成線(７)をネックポイント(５)(８)からショルダーポイント(６)(９)側に４〜５ｃｍの位置がネックポイント(５)(８)とショルダーポイント(６)(９)とを結んだ仮想直線(11)から最も離隔するように構成したブルゾン型上着。
【発明の詳細な説明】
【技術分野】
【０００１】
本発明は、タウン着としてのブルゾンや作業衣等のブルゾン型上着に関するものである。
【背景技術】
【０００２】
ブルゾン型の上着では、例えば特許文献１に示されているように、前身頃の上部と後ろ身頃の上部はを縫合して形成されるショルダーシーム形成線は、首側から肩先に向う下り傾斜の直線なるように形成されている。
【特許文献１】特願２００６−２３０６号公報
【発明の開示】
【発明が解決しようとする課題】
【０００３】
前記の従来のブルゾン型の上着では、ショルダーシーム形成線が肩先に向う下り傾斜直線となっていることから、着用時に、上着自体の重さがすべて肩先に作用して、衣服の重さを感じることがあった。
【０００４】
本発明はこのような点に着目してなされたもので、軽い着用感を得られるブルゾン型の上着を提供することを目的とする。
【課題を解決するための手段】
【０００５】
上述の目的を達成するために請求項１に記載の発明は、前身頃及び後ろ身頃におけるネックポイントとショルダーポイントとを結ぶショルダーシーム形成線を、下に凸の凹曲線に形成したことを特徴としている。また、請求項２に記載の発明では、凹曲線状のショルダーシーム形成線をネックポイントから４〜５ｃｍショルダーポイント側の位置がネックポイントとショルダーポイントとを結んだ仮想直線から最も離隔するように構成したことを特徴としている。
【発明の効果】
【０００６】
本発明では、ショルダーシーム形成線を下に凸の凹曲線に形成しているので、衣服の重さがネックポイントとショルダーポイントとの間の位置に作用することから、肩先はフィットしているものでありながら、衣服の重量が肩先に作用しないので、着用した際に軽い着用感を得ることができる。特に、ネックポイントから４〜５ｃｍショルダーポイント側の位置がネックポイントとショルダーポイントとを結ぶ仮想直線から最も離隔するように構成した場合には、手を前に出す、手を挙げる、肩、腕を動かすなどの時の転換点に当るネックポイントから４〜５ｃｍショルダーポイント側の位置から首にかけての位置で衣服の重量を受け止めることになるから、体の動きに適合することができ、より軽く感じることができる。
【発明を実施するための最良の形態】
【０００７】
図は本発明の一実施形態を示し、図１はブルゾン型作業衣の斜視図、図２は前身頃と後ろ身頃の型紙の正面図である。
このブルゾン型作業衣は、左右の前身頃(１)と、後ろ身頃(２)、左右袖部(３)及び襟部(４)とを有している。
【０００８】
前身頃(１)のネックポイント(５)とショルダーポイント(６)とを結ぶショルダーシーム形成線(７)、及び、後ろ身頃(２)のネックポイント(８)とショルダーポイント(９)とを結ぶショルダーシーム形成線(10)とをそれぞれ下に凸の凹曲線で構成してある。
【０００９】
このショルダーシーム形成線(７)(10)は、それぞれネックポイント(５)(８)とショルダーポイント(６)(９)とを結ぶ仮想直線(11)に対して、ネックポイント(５)(８)から４〜５cmの個所が一番離隔するように形成してある。
【００１０】
ここで、首の付け根から４〜５cmの位置は、手を前に出したり、手を挙げるなどの動作の際に、肩や腕を動かす転換点にあたり、この位置よりも首側は、肩や腕を動かした際ににもほとんど動きがない。
【００１１】
上述の構成からなるブルゾン型作業衣は、ショルダーシーム形成線を下に凸の凹曲線で、しかも、首の付け根に対応するネックポイント(５)(８)から４〜５cm肩寄りの部分が仮想直線から一番離隔するようにしてあることから、衣服の重量をこのネックポイント(５)(８)から４〜５cm肩寄りの部分で受け止めることになり、肩先で重量を感じなくなる。この結果、肩先はフィットしているにもかかわらす、重さが肩先にかからないことから、軽い着用感を得ることができる。
【産業上の利用可能性】
【００１２】
上記実施形態では、作業着の上着を例に説明したが、この発明は、タウン着としてのブルゾンや肩パットを装着しない上着にも適用することができる。
【図面の簡単な説明】
【００１３】
【図１】本発明の一実施形態を示すブルゾン型作業衣の斜視図である。
【図２】前身頃と後ろ身頃の型紙の正面図である。
【符号の説明】
【００１４】
１…前身頃、２…後ろ身頃、３…袖部、５・８…ネックポイント、６・９…ショルダーポイント、７…ショルダーシーム形成線、11…仮想直線。
【図１】
2007254925.tif 000003
【図２】
2007254925.tif 000004
(57)【要約】【課題】天然素材の成分を用い肌に優しい化粧水を提供することを目的とするものである。【解決手段】本発明は、泡盛に、アロエベラ生葉とレモン又はシークァーサー及びグリセリンを混入し、所定期間密閉し、アロエベラ生葉がグリーン色から褐色に変色し、泡盛が褐色に変色するまで熟成させ、アロエベラ生葉とレモン又はシークァーサーを濾過した泡盛を用いたアロエエキス入り化粧水とその製造方法である。【特許請求の範囲】
【請求項１】
沸騰したお湯でアク抜きをし常温にさましたアロエベラ生葉と、レモン又はシークァーサーをそれぞれカットし、予め用意した容器に泡盛と共につけ込みグリセリンをも混入し所定期間密閉、アロエベラ生葉がグリーン色から褐色に変色し、あるいは泡盛が褐色に変色するまで熟成させた後この液体を濾過したことを特徴とする泡盛を用いた化粧水。
【請求項２】
沸騰したお湯でアク抜きをし、常温にさましたアロエベラ生葉と、レモン又はシークァーサーをそれぞれカットし、予め用意した容器に泡盛と共につけ込みグリセリンをも混入し所定期間密閉、アロエベラ生葉がグリーン色から褐色に変色し、あるいは泡盛が褐色に変色するまで熟成させたあとこの液体を濾過したことを特徴とする泡盛を用いた化粧水の製造方法。
【発明の詳細な説明】
【技術分野】
【０００１】本発明は、泡盛にアロエベラエキス入り・レモン又はシークァーサーエキス入り且つグリセリンを添加した化粧水及び製造方法の分野に関するものである。
【背景技術】
【０００２】従来の化粧水は、あらゆる種類の物が混合しその殆どが成分に化学合成剤が用いられ、敏感肌の人には適用しないという欠点があった。
【発明の開示】
【発明が解決しようとする課題】
【０００３】本発明では、天然素材の成分を用い肌に優しい化粧水を提供することを目的とするものである。
【課題を解決するための手段】
【０００４】本発明は、泡盛に、アロエベラ生葉とレモン又はシークァーサー及びグリセリンを混入し、所定期間密閉し、アロエベラ生葉がグリーン色から褐色に変色し、泡盛が褐色に変色するまで熟成させ、アロエベラ生葉とレモン又はシークァーサーを濾過した泡盛を用いたアロエエキス入り化粧水。【０００５】また本発明は、泡盛に、アロエベラ生葉とレモン又はシークァーサー及びグリセリンを混入し、所定期間密閉し、アロエベラ生葉がグリーン色から褐色に変色し、泡盛が褐色に変色するまで熟成させ、アロエベラ生葉とレモン又はシークァーサーを濾過した泡盛を用いたアロエエキス入り化粧水の製造法。
【発明の効果】
【０００６】本発明の化粧水は、泡盛の豊富なミネラルとアルコール成分がアロエエキス成分を含有する化粧水の保湿作用等によって顔の肌にうるおいを保ち、さらに肌がサラサラし化粧くずれを防止し、レモン又はシークァーサーエキス成分の透明感のある明るい美肌に導く。【０００７】さらに、しみを解消しグリセリンの成分による皮膚にたいしての柔軟効果などを相乗的に有し、従来のアロエエキス成分中心にした化粧水よりもすぐれた効能を発揮したものである。
【実施例】
【０００８】手に少量の化粧水を付着させ、顔にぬるとアロエエキスの有効成分と、レモン又はシークァーサーエキスの有効成分と、泡盛のアルコール成分・グリセリン成分とが、肌をうるおわせ、肌のうるおいを保持し、肌がサラサラし化粧くずれを防止すると共に、顔の肌を強壮し・色白にするという効果が得られた。【０００９】本発明の化粧水を顔の肌にぬったところ、肌がうるおいのあるキメ細かいなめらかな肌に整った。【００１０】本発明の化粧水を顔の肌にぬったところ、肌が強壮となり肌がサラサラし、うるおいを保って、化粧くずれしにくく色白になった。【００１１】本発明の化粧水を、脚や腕にぬって使用したら肌の色が白くなった。【００１２】本発明の化粧水は、長期間瓶に入れておいても、泡盛・グリセリンの効果でカビの発生がないことが実証できた。
【発明を実施するための最良の形態】本発明の請求項１、２の発明に関する実施の形態は、前記各請求項において共通部分が多いので以下のとおり一括して説明する。【００１３】
2007254447.tif 000002
ル成分中に、アロエベラ生葉を所定量、例えば１本が約２０ｇのもの５枚を、沸騰したお湯でアクを取りカットする。【００１４】さらにレモンの場合は所定量、例えば１個約１０ｇのもの５個をカットし前記アロエベラ生葉と同様、前記泡盛のアルコール成分中に混入し、シークァーサーの場合は約８００ｇをカットして前記泡盛に入れ、グリセリン１８０ｃｃをも混入し、以上のように泡盛にアロエベラ生葉とレモン又はシークァーサー・グリセリンとを混入した後、容器を密閉し密閉を解除することなく、所定期間、例えば約３ヶ月間熟成させる。【００１５】上述のように所定期間熟成させると、アロエベラ生葉が、グリーン色から褐色に変色し、さらに泡盛が褐色に変色し、その際レモン又はシークァーサーも褐色になっている。【００１６】以上のように本発明は、アロエベラ生葉が褐色に変色し、さらに泡盛が、褐色に変色することを目やすとして製造する。【００１７】次にアロエベラ生葉とレモン又はシークァーサーの果肉等から出る細かい蓋などを除去しさらに生葉等の微粒状の固形物を除去するために、目の細い網またはガーゼ等の布を使用して濾過し、その結果泡盛のアルコール成分とアロエベラエキス成分と、レモン又はシークァーサー・グリセリンの抽出エキス成分とが混合された化粧水が得られる。【００１８】上述のように濾過された化粧水は、小瓶に分け栓をして使用する。【００１９】また本発明の化粧水は、その製造工程の一つである濾過時に排出されるアロエベラ生葉と、レモン又はシークァーサーを木綿袋等に入れ浴槽に入れておくなり、あるいはしぼってやると、アロエベラ生葉やレモン又はシークァーサーに含有されているエキスが抽出され、それらのエキスが人体の皮膚に付着し、皮膚をすべすべにしたり、あるいは色白や殺菌・強壮にする等の利点を有している。
(57)【要約】      （修正有）【課題】  今までのテープカッターでは、テープを指で摘みカットし、両手指で貼り付けたい物も押えながらの作業、テープも指に絡んだり、片手での連続作業が不可能である。そこで片手で貼り付け、片手でカット、テープに触れずに連続作業が出来るテープカッターを提供する。【解決手段】  粘着テープの糊面をテープカッターの下面より出し、直接ローラーで押えて貼り付けます、次にボディーを９０°回転させ起こします、すると貼り付けられる薄紙がテープに依り持ち上げられこのままカットすると、薄紙にキズを付けてしまう、そこでボディーを押し下げ、持ち上げられた薄紙を元の平らの状態に戻し、そしてカット、押えノーズにて滑らせ終了、次も片手で連続貼り付けが可能である。又、テープを指に取り必要な長さに切断も可能。【選択図】図１
2007254149.tif 000002
【特許請求の範囲】
【請求項１】
テープカッターに、３．両サイドテープガイドを設け、粘着テープを保持待機させると同時に、２．テープセット用溝として中間を開けておく形状とします。
【請求項２】
伸縮部分を設け、貼り付けようとする薄紙にキズを付けないように、８．伸縮ガイド及び、７．コイルスプリング等にて処理する。
尚、６．押えノーズや５．山形Ｖ字ナイフそして、４．クッションゴムローラーや３．両サイドテープガイドも伸縮部分と一体構造の形状とします。
【請求項３】
Ａテープを貼る、Ｂボディーを９０°回転、Ｃ押し下げ、そしてＤ移動してカット、押えノーズを滑らせ終了、この関連作業。
【発明の詳細な説明】
【技術分野】
【０００１】  本発明は、粘着テープ貼り付け作業の能率向上に役立つ構造を、考慮し考案したものです。
【背景技術】
【０００２】  今までの製品は、粘着テープを指に取り、両手で切断し両手で貼り付けていて、カットのみの製品でしかなかった。
【発明の開示】
【発明が解決しようとする課題】
【０００３】  貼り付けようとする封筒やポスター等を、片手で貼り付けられず、一回、一回テープをカットするため能率が悪かった。
本発明は、この課題を解決するために考案しました。
【課題を解決するための手段】
【０００４】  テープを連続カット可能にするため、４．クッションゴムローラーと３．両サイドテープガイドとのスキマにテープを通し、外れ防止としました。【０００５】  片手で所定の位置まで貼り付け、そしてボディーを９０°回転させると薄紙もテープに引っ張られます、このままカットすると薄紙にキズを付けてしまいます、そのため、持ち上げられた薄紙を元の状態に戻すのに、伸縮部分図１を設け、完全カット可能な構造としました。
【発明の効果】
【０００６】  従来の貼り付け作業では、切っては貼り、切っては貼る作業がこの発明に依り連続に出来、しかも片手で貼り付け可能、封筒やポスター  等をもう片方の手で押えられるので、より確実に、より能率良く作業が出来ます。
【実施例】
【０００７】  従来の二分割カッターと同様にテープ交換も簡単です、テープの先端を指で摘み回転、２．テープセット用溝を通過させ、４．クッションゴムローラー３．両サイドテープガイドとのスキマに案内し、５．山形Ｖ字ナイフでテープをカットします（準備完了）。
又、このまま指に取り必要な長さに切断も可能、従来の使い方も出来ます。【０００８】  伸縮部分の発明は、貼り付けようとする薄紙に、キズを付けずにテープをカットするため、８．伸縮ガイド，７．コイルスプリング，６．押さえノーズ，５．山形Ｖ字ナイフ，４．クッションゴムローラー，３．両サイドテープガイド、この６種類を伸縮部分一体構造として製作します。
【図面の簡単な説明】
【０００９】
【図１】  各部の構造説明図です。
【００１０】
【図２】  作動操作説明図です。
【符号の説明】
【００１１】  １  二分割ボディー
２  テープセット用溝
３  両サイドテープガイド
４  クッションゴムローラー
５  山形Ｖ字ナイフ
６  押えノーズ
７  コイルスプリング
８  伸縮ガイド
【図１】
2007254149.tif 000003
【図２】
2007254149.tif 000004
(57)【要約】【課題】  建物の基礎部を構築する際、部分的な軟弱地盤に対応して建物の基礎部を、頑強な基礎で構築することが不要となると共に、建物の不同沈下を防止する基礎工法を提供する。【解決手段】  建物を建築する際、建物の耐圧基礎の下部に耐圧基礎の外周底面より大きく構成した鉄板を敷く事を特徴とする鉄板フーチング方式による不同沈下防止工法を提供する。【選択図】図１
2007327310.tif 000002
【特許請求の範囲】
【請求項１】
建物の耐圧基礎の下部に耐圧基礎の外周底面より大きく構成した鉄板を敷く事を特徴とする鉄板フーチング方式による不同沈下防止工法。
【請求項２】
鉄板を建物の耐圧基礎下部の四隅に配置したことを特徴とする請求項１記載の鉄板フーチング方式による不同沈下防止工法。
【請求項３】
鉄板を建物の耐圧基礎下部の中心部を除く全周に配置したことを特徴とする請求項１記載の鉄板フーチング方式による不同沈下防止工法。
【発明の詳細な説明】
【技術分野】
【０００１】  この発明は、建物の基礎部を構成する鉄板フーチング方式による不同沈下防止工法に関するものである。
【背景技術】
【０００２】  従来、この種の建物の基礎に関しては、まず最初に建てる土地の地盤調査をし、地耐力を計算した後、基礎や杭を設計します。つまり建物の重さより地耐力が必ず大きくなけれは建築確認がとれません。
【発明の開示】
【発明が解決しようとする課題】
【０００３】  しかしながら、建物に対する必要地耐力に関しては、建物の重さプラス余裕が必要となります。このためプラス余裕をどの程度にするか、しばしば問題になります。【０００４】  もちろん堅固な地盤であれば問題はありませんが、建物の重さに対して地耐力に余裕がない場合は地盤改良や鋼管杭等の工事が必要になります。さらに、新造成地や土質不良地等の地盤においては、部分的に地耐力の低い場所が存在するため、不同沈下が発生しやすいと云う問題をかかえていた。【０００５】  このため地耐力のプラス余裕を大きくして安心感を得ようとすれば、地盤改良や鋼管杭等の工事が必要になり、多大な費用が必要になると共に、工期も長くなる等の問題が発生していた。【０００６】  そこで、この発明は建物基礎を構築するにあたり、経済合理性の見地から、従来から行なわれてきた地盤改良や鋼管杭等の工事をなくし、必要な地耐力を得るために建物の基礎の下部に鉄板を敷く事により地盤に対する建物の載荷重を少なくすると共に、工期を短縮し、コストを大幅に低減できる、鉄板フーチング方式による不同沈下防止工法を提供することを課題としている。
【課題を解決するための手段】
【０００７】  かかる課題を達成するために、請求項１に記載の発明は、建物の耐圧基礎の下部に耐圧基礎の外周底面より大きく構成した鉄板を敷く事を特徴とする。【０００８】  請求項２に記載の発明は、請求項１に記載の工法に加え、鉄板を建物の耐圧基礎下部の四隅に配置したことを特徴とする。【０００９】  請求項３に記載の発明は、請求項１に記載の工法に加え、鉄板を建物の耐圧基礎下部の中心部を除く全周に配置したことを特徴とする。
【発明の効果】
【００１０】  請求項１に記載の発明によれば、建物の耐圧基礎の下部に耐圧基礎の外周底面より大きく構成した鉄板を敷く事により、建物の重量に対して、耐圧基礎が地盤と接する面積を大きく取る事が可能となるため地耐力が向上し、従来のような、地盤改良が不要となると共に、工期の短縮につながり、大幅にコストの低減を図ることができる。【００１１】  請求項２に記載の発明によれば、鉄板を建物の耐圧基礎下部の四隅に配置したことにより、地盤の地耐力にバラツキがある新造成地や土質不良地等の土地に対して、耐圧基礎下部の四隅の鉄板のサイズと厚さを変えることにより、柔軟に対応することができるようになり、従来のような、建物を建築するための、部分的な軟弱地盤に対応して建物全体の基礎部分を、頑強な基礎で構築することが不要となると共に、工期の短縮につながり、大幅にコストの低減を図ることができる。【００１２】  請求項３に記載の発明によれば、鉄板を建物の耐圧基礎下部の中心部を除く全周に配置したことにより、総体的に地耐力が低い地盤に対して、基礎部分を強化する必要がなくなり、工期の短縮につながると共に、コストの削減を図ることができる。
【実施例】
【００１３】  以下、この発明の実施の形態について説明する。【００１４】  図１及至図３は、この発明の実施の形態を示す。【００１５】  図１は建物１と基礎部３の断面図である。耐圧基礎４の底面に耐圧基礎４の外周底面より大きく構成した鉄板５を敷き、その下部は転圧された砕石６で構成される。【００１６】  図２は耐圧基礎４と鉄板７の平面図である。耐圧基礎４の四隅の底部に鉄板７が敷かれる。【００１７】  図３は耐圧基礎４と鉄板７の平面図である。耐圧基礎４の中心部を除く底部の全周に鉄板８が敷かれる。【００１８】  以上、実施の形態に基づいて、本発明に係る鉄板フーチング方式による不同沈下防止工法について詳細に説明してきたが、本発明は、以上の実施の形態に限定されるものではなく、発明の趣旨を逸脱しない範囲において各種の改変をなしても、本発明の技術的範囲に属するのはもちろんである。【００１９】  図１及至３において、鉄板５、鉄板７、鉄板８が耐圧基礎４の底面に構成される状態を図示したが、鉄板５、鉄板７、鉄板８の厚さは９〜１６ｍｍ以上の鉄板を使用することが望ましく、さらに鉄板５、鉄板７、鉄板８は必要地耐力を考慮して、耐圧基礎の外周底面より出来る限り大きく構成することが望ましい。【００２０】  図２において、鉄板７を四隅に配置したが、敷き詰める鉄板７の大きさと厚さは、四隅の各々の地耐力に応じて変化させることはもとより、四隅の各々の地耐力に応じて、四隅全てに鉄板７を配置するのではなく、地耐力の高い箇所は鉄板７を不要とすることも可能である。【００２１】  図１及至３において、鉄板５、鉄板７、鉄板８は鉄板を使用したが、鉄筋入りコンクリート盤を使用することも可能である。
【図面の簡単な説明】
【００２２】
【図１】この発明の実施の形態に係る建物と基礎部の断面図である。
【図２】同実施の形態に係る耐圧基礎と鉄板の構成を示した平面図である。
【図３】同実施の形態に係る耐圧基礎と鉄板の構成を示した平面図である。
【符号の説明】
【００２３】  １                  建物
２                  地表面
３                  基礎部
４                  耐圧基礎
５                  鉄板
６                  砕石
７                  鉄板
８                  鉄板
【図１】
2007327310.tif 000003
【図２】
2007327310.tif 000004
【図３】
2007327310.tif 000005
(57)【要約】      （修正有）【課題】イオン化された空気を取り入れることにより燃焼効率の向上と排気ガスの低減を得ることが出来るようにする。【解決手段】エアーフィルターに収納されている不織布製などの濾過材にイオン化機能をもつ触媒を含有させる。及び、イオン化機能を有するエアーフィルター用触媒。【選択図】図１
2007327344.tif 000002
【特許請求の範囲】
【請求項１】
イオン化機能を有する触媒を含有させた濾過材とそれを収納するケースとで構成される自動車用エアーフィルター。
【請求項２】
請求項１の記載のイオン化機能を有する自動車エアーフィルター用触媒。
【発明の詳細な説明】
【技術分野】
【０００１】
本発明はイオン化機能を有する触媒を濾過材に含有させた自動車用エアーフィルター及び、イオン化機能を有する自動車エアーフィルター用触媒に関する。
【背景技術】
【０００２】
近年の環境問題に関する取り組みは地球的規模になり、限りある地球的資源の有効利用は人類の課題である。そこでそれら燃料の燃焼効率の向上を図るとともに排気ガスの減少が得られことは地球的資源の節約と環境保全が出来ると考えた。
【０００３】
従来の自動車用エアーフィルターはエンジンに取り込む空気中の粉塵などを取り除く濾過作用はあるものの、燃料の燃焼効率の向上や排気ガスの削減に寄与するものはなかった。
【発明の開示】
【発明が解決しようとする課題】
【０００４】
従来の自動車用エアーフィルターは通過した空気を濾過する機能はあるが、空気をイオン化し活性化させ燃焼効率の向上を図るものは見当たらなかった。
【０００５】
本発明は以上の状況下でなされたものであり、空気をイオン化し活性化させる製造容易な自動車用エアーフィルター及び、取り付けが簡単なイオン化機能を有する自動車エアーフィルター用触媒を提供することを目的としている。
【課題を解決するための手段】
【０００６】
本発明に係わる自動車用エアーフィルターは、不織布製などの濾過材にイオン化機能を有する触媒を含有させてなる濾過材と、それを収納する容器とからなる。このエアーフィルターを通過した空気はイオン化し活性化され、燃料と混合されエンジン内に取り入れられることで、燃料の燃焼効率が向上され、排気ガスが低減される。
【０００７】
上記のイオン化機能を有する触媒は既存の自動車用エアーフィルターに取り付け可能な形に成形することも出来る。
【発明の効果】
【０００８】
本発明に係わる自動車用エアーフィルターによれば、取り入れられた空気がイオン化され活性化されるため燃焼効率を向上させ排気ガスを減少させることができる。すなわち、出力の向上と燃費の向上とが図られる。
【発明を実施するための最良の形態】
【０００９】
図１は本発明の一実施形態に係わる乗用自動車用箱型エアーフィルターの平面図である。なお本発明は大型自動車や小型自動車用の円筒状或いは円盤状のエアーフィルターについても適用出来る。
【図面の簡単な説明】
【００１０】
【図１】本発明の一実施例の乗用車用エアーフィルターの平面図である。
【図２】本発明の一実施例の乗用車用エアーフィルターの側面図である。
【符号の説明】
【００１１】
１・・・・・・・乗用自動車用エアーフィルター
２・・・・・・・イオン化機能を有する触媒を含有させた濾過材
【図１】
2007327344.tif 000003
【図２】
2007327344.tif 000004
(57)【要約】      （修正有）【課題】取り付け後、外部から内部の構造材などの位置がわかりやすく、また、建築物内部への太陽光を遮断しない防水透湿シートを提供すること。【解決手段】透明な素材を使用した防水透湿シート１を使用する。この防水透湿シート１を使用することにより、周囲の状況が見えるため、建築現場での危険予測がしやすく、建築現場内部への太陽光を遮蔽せず明るい作業環境を確保でき、また外部から構造材などの位置がわかりやすいなど、作業効率を上げることができる。【選択図】図１
2007327317.tif 000002
【特許請求の範囲】
【請求項１】
透明な素材で作った防水透湿シート
【発明の詳細な説明】
【技術分野】
【０００１】本発明は防水透湿シートに関するものであり、防水透湿シートの素材を透明にすることにより建築工事の作業効率を上げるものである。
【背景技術】
【０００２】防水透湿シートは従来白色のシートでありこの例として特許文献１に開示されているものがある。
【特許文献１】特開平０９−００１７１２
【発明の開示】
【発明が解決しようとする課題】
【０００３】しかし従来のような防水透湿シートでは、取り付け後、外部から内部の構造材などの位置などがわかりにくく、また内部への太陽光を多少遮断するなどの不都合が生じる、このような不都合をシートを透明にすることにより解決することを課題とする。［図１参照］
【課題を解決するための手段】
【０００４】透明な素材で透明な防水透湿シートを作る。
【発明の効果】
【０００５】シートを透明にすることによって、周囲の状況が見えるため、建築現場での危険予測がしやすく、内部への太陽光を遮断せず明るい作業環境を確保でき、また外部から構造材などの位置がわかりやすいなど、作業効率を上げることができる
【発明の実施例】
【０００６】図１は透明であることを特徴とする防水透湿シートの取り付け例の図面である。
【０００７】またシートに取り付けの際の重さなり部分のラインを印刷してもよい。
【産業上の利用可能性】
【０００８】本発明に係る防水透湿透明シートは、工業的に量産する事が可能であるため、産業上の利用可能性を有する。
【図面の簡単な説明】
【０００９】
【図１】防水透湿透明シートの取り付け例の図面である。
【符号の説明】
１  防水透湿透明シート
２  柱
３  梁
４  土台
５  間柱
６  重なりのライン
【図１】
2007327317.tif 000003
(57)【要約】      （修正有）【課題】洗い物やシンクの掃除をするときに蛇口管から出る水を任意に移動させる事ができる給水用蛇口の提供。【解決手段】カラン２の出口側３の先端に供給管部の他端部の一端側を回転継手４ａにより回動自在に連結する。供給管部５の先端部に、蛇口管６を回転継手４ｂにより回動自在に取り付ける。蛇口管６を動かしたい場合に、蛇口管６を供給管部５の回動を介して変位させる。【選択図】図１
2007327316.tif 000002
【特許請求の範囲】
【請求項１】
カランの先端に、供給管部の一端側を軸中心に回動自在に連結して備えた構成とし、且つ該カランの供給管部の他端部に、蛇口管を軸心線を中心に回動自在に連結してなることを特徴とする給水用蛇口。
【請求項２】
カランの供給管部の他端側と蛇口管との間に供給管を介在させて、上記供給管部の他端部と蛇口管に各々回動自在に連結した請求項１記載の給水用蛇口。
【発明の詳細な説明】
【技術分野】
【０００１】  本発明は一般家庭の流し等で使用する給水用蛇口に関する物である。
【背景技術】
【０００２】  一般家庭の流し等で用いられている給水用の蛇口としては、従来より種々の形式のものがあるが、代表的なものを示すと、例えば、図６（イ）に一例を示す如く、ハンドルａの回転操作によって給水量を調整出来るようにしてあるカランｂの出口部ｃの前方に開口する端部に、角形蛇口管ｅを回転継手ｄにより出口部ｃの軸心線Ｙを中心に回転出来るように取り付けたもの、あるいは、図６（ロ）に一例を示す如く、カランｂの出口部ｃの前方に開口する端部に、その端部にクランク状に屈曲させた丸形蛇口管ｆを回転継手ｄにより出口部ｃの軸心線Ｚを中心に回転出来るように取り付けたもの等がある。
【発明の開示】
【発明が解決しようとする課題】
【０００３】ところが、上記図６（イ）（ロ）に示されている蛇口の場合、例えば流し構内で食器を洗い流している時やシンクの掃除などをしている時に、蛇口管ｅ、ｆの届く範囲が図５（イ）に示されている通りのように限られており、身長が低い者や子供、お年寄りなどが前傾姿勢になり、特に腰が悪い者が苦労するという問題がある。【０００４】  そこで、本発明は、水道水が出る範囲をシンクの大きさ形状に合わせ長さや形状を色々取り揃えより広範囲に蛇口から出る水を図５（ロ）に示されている通りのように隅々まで行き渡らせる事により、前傾姿勢をしなくて済むようにした給水用蛇口を提供しようとするものである。
【課題を解決するための手段】
【０００５】  本発明は、上記課題を解決するために、カランの先端に、供給管部の一端側を軸中心に回動自在に連結して備えた構成とし、且つ該カランの供給管部の他端部に、蛇口管を軸心線を中心に回動自在に連結してなる構成とする。【０００６】  カランの供給管部を回動させることにより蛇口管の取付部を左右自在に変位させることができることから、蛇口管から出る水の範囲が隅々まで届くようになる。【０００７】  又、カランの供給管部の他端部と蛇口管の間に、供給管を介在させて、上記供給管部の他端部と蛇口管に各々回動自在に連結した構成とすることにより、蛇口管を任意の位置に変位させることができて流し槽の任意の位置で水を使用することができ、流し槽内を有効に使用できるようになる。
【発明を実施するための最良の形態】
【０００８】  以下、本発明の実施形態を図面を参照して説明する。図１乃至図３は本発明の実施の一形態を示すもので、ハンドル１の回転操作によって給水量を調整できるようにしてあるカラン２を、その出口側３の先端に、供給管部５の一端側を回転継手４ａにより出口側３の軸心線Ｘを中心に平行面内で回動できるように連結して備えた構成とし、且つ該カラン２の供給管部５の他端部に、蛇口管６を回転継手４ｂにより上記軸心線Ｘと平行する方向の軸心線（供給管部５の他端側の軸心練）Ｙを中心に回動できるように連結する。【０００９】  今、図１乃至図３において実線で示す如き基本姿勢において、流し槽内を洗う場合は、カラン２の供給管部５を軸心線Ｘを中心に回動させ、蛇口管６を軸心練Ｙを中心に回転継手４ｂ部で回動させて蛇口管６を変位させるようにする。これにより、蛇口管６から出る水の範囲が広がり、流し槽内が洗いやすくなる。又、蛇口管６の回動と供給管部５の回動は任意に行うことが出来るので、蛇口管６を図２、図３で二点鎖線で示す如く右又は左向きにして供給管部５を回動させることにより、図２、図３において、一点鎖線で示す如き左右方向の姿勢とすることができる。【００１０】  次に、図４は本発明の他の実施の形態を示すもので、上記図１乃至図３に示したものと同様な構成において、カラン２の供給管部５とシンク間が狭い場合に、上側に蛇口管６を回転継手４ｂにより軸心線Ｙを中心に回動できるように連結させたものである。この場合供給管部６は供給管部５より短いものである。【００１１】  図４に示すように構成した場合は、カラン２の供給管部５を軸心線Ｘを中心に回動させ、蛇口管６を軸心線Ｙを中心に回転継手４ｂ部で回動させて蛇口管６を変位させるようにする。これにより、蛇口管６から出る水の範囲が広がり、流し槽内が洗いやすくなり、上記実施の形態で示したものの場合と同様に使用することができる。
【発明の効果】
【００１２】  以上述べた如く、本発明の給水用蛇口によれば、カランの該出口側の先端に、供給管部を回動自在に連結して備えた構造とし、且つ該カランの供給管部の他端側に、蛇口管が回動自在に連結してあるので、カランの供給管部を回動変位させることにより、洗い物やシンク等の状況に応じて蛇口管を変位させることができて、蛇口の水の出る範囲が広がり手前に来、前傾姿勢にならずに済むし、より広範囲に水が届き、極めて使い勝手のよいものとすることができる。
【図面の簡単な説明】
【図１】本発明の給水用蛇口の実施の一形態を示す斜視図である。
【図２】図１の上から見た図である。
【図３】図１の上から見た図である。
【図４】本発明の他の実施形態を示す斜視図である。
【図５】従来の蛇口と本発明の蛇口の可動例を示す斜視図である。
【図６】従来の蛇口の代表例を示すもので、（イ）（ロ）はいずれも型式の異なる蛇口の斜視図である。
【符号の説明】
１  給水レバー
２  カラン
３  出口側
４ａ、４ｂ  回転継手
５  供給管部
６  蛇口管
【図１】
2007327316.tif 000003
【図２】
2007327316.tif 000004
【図３】
2007327316.tif 000005
【図４】
2007327316.tif 000006
【図５】
2007327316.tif 000007
【図６】
2007327316.tif 000008
(57)【要約】      （修正有）【課題】スポーツ施設に使用されている砂入り人工芝において、砂、ゴムチップなどの充填材は、風雨や人に踏まれることにより、充填材が流出したり、飛散したりしてしまう。また、時間が経つとコンクリートのように硬化してしまい、スポーツ競技上、悪い影響がある。【解決手段】タフティング人工芝の加工において一般的に使用されている合成繊維の平織基布と立体構造編み物ダブルラッセル製法のシートを重ね、その上にタフティングを施す。ダブルラッセルシートはパイル側についている状態で、タフティング人工芝を仕上げる。人工芝の施工において、充填物を入れた場合、ダブルラッセルの立体構造の内部に入り込むため、充填物の流出、飛散がしづらくなる。また、クッション性もある。ダブルラッセルシートに代わり、通気性のある嵩高不織布を使用する事も可能である。【選択図】図１
2007327314.tif 000002
【特許請求の範囲】
【請求項１】
タフティング人工芝のパイル面に基布として、ダブルラッセルによる立体性編みものシートを使用した人工芝。
【請求項２】
タフティング人工芝のパイル面に基布として、通気性のある嵩高性不織布を使用した人工芝。
【発明の詳細な説明】
【技術分野】
【０００１】本発明は、砂、ゴムチップなどを人工芝のパイルの隙間に充填し、スポーツ施設などで使用されているタフティング人工芝に関するものであり、ダブルラッセルシートを基布に又は、通気性のある嵩高性の不織布を基布に使用することによって、降雨などによる充填材の流出を抑え、透水性、クッション性を改善したものである。
【背景技術】
【０００２】砂などの充填材が降雨などの原因で流出を防ぐため、パイル長に段差を設ける方法がある。
【実用新案文献１】
実用新案公開平６−１４０５
【０００３】充填材の材質、充填方法により、衝撃吸収する方法がある。
【特許文献２】特開２００３−９６７１２
【０００４】ダブルラッセルシートの構造に関する資料
【特許文献３】特開平２−７４６４８
【発明の開示】
【発明が解決しようとする課題】
【０００５】砂、ゴムチップなどの充填材を人工芝のパイルの間に入れた場合、風雨や人に踏まれる事により、充填物が流出してしまう。また、時間が経過すると充填物がコンクリートのように硬化してしまい、その人工芝の上で行われる競技のコンディションに悪影響を及ぼしている。さらに、殆どがタフティング製法で作られているため、基本的には透水機能がないため、水はけも良くない。
【課題を解決するための手段】
【０００６】タフティング人工芝を加工するにあたり、ダブルラッセルシート又は、嵩高性の不織布など、通気性のある立体構造のベースシートにパイル糸を植毛する。ベースシートの繊維密度と糸の太さ、パイル密度によって、さらに平織シート、メッシュシートなどを２重に合わせたものにパイルを植毛することも有効である。
パイル糸の固定としては、耐水性樹脂からなる接着剤を裏面に塗布し、乾燥して仕上げる。
【発明の効果】
【０００７】ダブルラッセルシートはハニカム編みなどの多角形の構造を持ったシートを採用する事によって、その多角形のスペースに充填材が入り込む、充填材はダブルラッセルシートの多角形のスペースに入り、そのスペースには、上下に走る繊維が存在しており、その繊維が充填材の流動を抑える役目をはたす。また、上下に走る繊維は人工芝のクッション性を助長する。
ダブルラッセルシートは、表、裏の編みかたを変えたものがあり、タフティング人工芝としての基布として容易に使用が可能であり、それによって、従来ラッセル人工芝でしか実現できなかった透水機能が実現可能になる。
また、通気性のある嵩高不織布をダブルラッセルシートに代用することによっても、ほぼ同等の効果がある。
【発明を実施するための最良の形態】
【０００８】ベース基布として、ポリプロピレンからなる平織基布とポリエステル製のハニカム構造のダブルラッセルシートを重ね合わせて、タフティングマシーンのニードル位置まで供給し、パイル糸をタフティング加工する。
ダブルラッセルシートの厚みは、人工芝のパイルをどの程度露出させ、充填材をどの程度の量を入れるかによって設定される。
パイル糸の材質はナイロン、ポリオリフィンなどで、モノフィラメント、スプリットヤーンなどの種類が適している。
また、人工芝の敷き込む現場の土質、下地により、ダブルラッセルシートと平織基布やメッシュシートを２重に合わせたり、ラミネートしたものも使用する事も有効である。
基布層とパイル糸の固定には、耐水性樹脂による接着材を塗布する。
人工芝の敷き込みにおいては、ダブルラッセルシートの繊維間隔に応じた粒子サイズの充填材をパイル面に充填する。
【産業上の利用可能性】
【０００９】本発明に係わる充填材保持機能付人工芝は、工業的に量産することが可能であるため、産業上の利用可能性を有している。
【図面の簡単な説明】
【００１０】
【図１】ダブルラッセル立体構造編み物シートをベース基布とラミネートした物にパイルをタフティングした人工芝である。
【図２】通気性のある嵩高性不織布とベース基布をラミネートした物にパイルをタフティングした人工芝である。
【符号の説明】
【００１１】１    パイル糸
２    ベース基布
３    耐水性樹脂バッキング材
４    ダブルラッセル立体構造編み物シート
５    嵩高性不織布
【図１】
2007327314.tif 000003
【図２】
2007327314.tif 000004
(57)【要約】      （修正有）【課題】Ｐ波を利用して建造物が倒壊するのを防止する手段の提供。【解決手段】住居や学校等の建造物３を地面１に直接建てるのではなく、基台２の上に建て、この基台２の重心付近に永久磁石５を固定する。大地１にガイド柱４を少なくとも３本立てる。このガイド柱４の中央付近に電磁石６を基台２に設置した永久磁石の極性が互いに反発する向きに設置する。この電磁石６を地震のＰ波が単安定マルチバイブレータ−１３を起動し、発生した矩形波を積分して序序に増加する波形を発生し、これを増幅して得られた電力で駆動する。これにより、電磁石から序序に増加する磁力線が発生し、基台２に固定された永久磁石５と反発し合い、基台２を押し上げ、地震の揺れが直接建造物に伝わって倒壊することから防止する免震装置。【選択図】図１
2007327315.tif 000002
【特許請求の範囲】
【請求項１】
大地の表面に地震のｐ破によりトリガされたパルスにより駆動して発生したパルスを積分した鋸歯状の電力で駆動される電磁石を置き、その真上に少なくとも３本のガイド柱の穴を通した基台に永久磁石を置き、それらの磁石の反発力で基台を大地から浮かせる免震装置。
【発明の詳細な説明】
【技術分野】
【０００１】この発明は地震の時に建造物を倒壊から逃れさせる装置に関するものである。
【背景技術】
【０００２】世界各地で大きな地震が発生し、家屋が倒壊し、多くの人命が失われているが、従来は建造物に補強の金具や筋交い等で建造物を補強するしか対策は無かった。
【発明が解決しようとする課題】
【０００３】本発明はこの欠点を取り除くものである。
【発明が解決しようとする手段】
【０００４】地震が発生した時に大地（１）から基台（２）を浮き上げ、揺れによる建造物の倒壊を防止する。
【発明を実施するための最良の形態】
【０００５】以下本発明の実施の形態について説明する。
（イ）大地（１）にガイド柱（４）を少なくとも３本立てておき、家屋（３）が建つ基台（２）に３箇所穴を開けておき、スペサー８１１）を介してガイド柱（４）に通す。
（ロ）地震が発生した時に地震計（８）の出力を整形して得られるパルスでトリガされた単安定マルチバイブレーター（１３）の出力を積分して鋸歯状波を電磁石（５）に供給して徐々に増加する磁力線を発生させる。
（ハ）この磁力線と基台（２）に取り付けられている永久磁石（６）の磁力線が反発し合って基台（２）を徐々に押し上げる。
【発明の効果】
【０００６】これにより地震の縦揺れ、横揺れのどちらでも建造物を倒壊から防ぐことができる。
【図面の簡単な説明】
【０００７】
【図１】図−１は本発明の構造図であり、
【図２】図−２は単安定マルチバイブレータと積分回路の配線図である。１大地  ２基台  ３家屋  ４ガイド柱  ５永久磁石  ６電磁石  ７バッテリー  ８地震計  ９ノッチ  １０フック  １１スペーサー  １２スプリング  １３マルチバイブレーター
【図１】
2007327315.tif 000003
【図２】
2007327315.tif 000004
(57)【要約】【課題】  打ち抜かれる部分つまり無駄になる部分を最小限に抑えて材料費を節減し、戸車フレームを安価に提供することができる戸車フレームの製造方法の提供すること。【解決手段】  断面形状が長方形の角パイプを所定長さに切断し、２箇所の短辺部分の建具への取付片に相当する部分に門型の切り込みを入れて舌片状の切起片が形成されるように打ち抜き、門型の切り込みから取付片に相当する切起片を切り起こすと共に、２箇所の切起片には建具への取付のためのネジ挿通孔を、２箇所の長辺部分には車輪の回転軸が挿通できる孔をそれぞれ形成することによって戸車フレームを製造することを特徴とする。【選択図】図３
2007327312.tif 000002
【特許請求の範囲】
【請求項１】
断面形状が長方形の角パイプを所定長さに切断し、２箇所の短辺部分の建具への取付片に相当する部分に門型の切り込みを入れて舌片状の切起片が形成されるように打ち抜き、門型の切り込みから取付片に相当する切起片を切り起こすと共に、２箇所の切起片には建具への取付のためのネジ挿通孔を、２箇所の長辺部分には車輪の回転軸が挿通できる孔をそれぞれ形成することによって戸車フレームを製造することを特徴とする戸車フレームの製造方法。
【発明の詳細な説明】
【技術分野】
【０００１】  本発明は、安価に製造できる戸車フレームの製造方法に関する。
【発明の開示】
【発明が解決しようとする課題】
【０００２】  従来は、軽量の建具に使用される戸車の車輪を支持するフレームは板金の打ち抜き及び折り曲げ加工によって製造されるものであった。【０００３】  具体的にいえば、図５のように、略正方形の板金イからロ・・・ロ部、ハ部及び車輪の回転軸を挿通するための丸孔ニ、ニ、建具へ取付けるためのネジ孔ホ、ホを打ち抜き、丸孔ニ、ニがある片を垂直に折り曲げることによって図６のような戸車フレームを製造するものであった。【０００４】  つまり、従来の戸車フレームの製造方法にあっては、フレームは板金の打ち抜き及び折り曲げ加工の２工程で製造されるものであったため、加工費は安価ではあったが、打ち抜かれる部分つまり無駄になる部分が極めて多く、加工費が安価であるのにも拘わらず特にステンレスを使用する場合等には材料費が高額となって製品の単価が高額となる問題点があった。
【発明の目的】
【０００５】  本発明は、打ち抜かれる部分つまり無駄になる部分を最小限に抑えて材料費を節減し、戸車フレームを安価に提供することができる戸車フレームの製造方法の提供を目的とするものである。
【課題を解決するための手段】
【０００６】  本発明に係る戸車フレームの製造方法は、断面形状が長方形の角パイプを所定長さに切断し、２箇所の短辺部分の建具への取付片に相当する部分に門型の切り込みを入れて舌片状の切起片が形成されるように打ち抜き、門型の切り込みから取付片に相当する切起片を切り起こすと共に、２箇所の切起片には建具への取付のためのネジ挿通孔を、２箇所の長辺部分には車輪の回転軸が挿通できる孔をそれぞれ形成することによって戸車フレームを製造することを特徴とするものである。
【発明の実施の態様】
【０００７】  本発明方法の実施の態様を図面について具体的に説明する。
図１は、本発明方法を実施するための角パイプの斜視図、図２は、角パイプを所定長さに切断した状態の斜視図、図３は、同所定長さに切断したパイプを加工する状態を表わす斜視図、図４は、本発明方法による戸車フレームの縦断正面図である。
【０００８】  図１において、１は、本発明方法を実施するための角パイプであって、その寸法は具体的には短辺部分１−１を１３ｍｍ、長辺部分１−２を４２ｍｍの長尺のステンレス製の厚さ１．２ｍｍのパイプを使用する。
【０００９】  このパイプ１を適宜寸法例えば１８ｍｍの長さに切断して箱体２を形成する。
【００１０】  この箱体２の対向する両短辺部分は建具への取付片を形成する部分であり、また、対向する両長辺部分は戸車の正面板、背面板に対応する部分である。
【００１１】  上記箱体２の対向する両短辺部分１−１、１−１に門型の切り込みを入れてそれぞれ舌片状の切起片３が形成されるように打ち抜くと同時に建具への取付のためのネジ挿通孔３−１を形成し、戸車の正面板、背面板に対応する両長辺部分１−２、１−２には車輪の回転軸が挿通できる孔１−３をそれぞれ形成する。
【００１２】  上記両短辺部分の門型の切り込み部分から取付片に相当する切起片３、３を切り起こすことによって戸車フレームを製造するものである。
【００１３】  このように本発明方法では、色々な寸法の角パイプを切断することによって大きさの異なる戸車フレームを短時間に量産することができる。
【発明の効果】
【００１４】  以上述べた如く、本発明に係る戸車フレームの製造方法によれば、断面形状が長方形の角パイプを所定長さに切断し、２箇所の短辺部分の建具への取付片に相当する部分に門型の切り込みを入れて舌片状の切起片が形成されるように打ち抜き、門型の切り込みから取付片に相当する切起片を切り起こすと共に、２箇所の切起片には建具への取付のためのネジ挿通孔を、２箇所の長辺部分には車輪の回転軸が挿通できる孔をそれぞれ形成することによって戸車フレームを製造するものであるから、角パイプからは切起片のネジ孔部分と車輪の回転軸が挿通できる孔を抜き取るだけであるので、材料の無駄は殆ど無く、加工も打ち抜き加工、折り曲げ加工だけでよいので、従来の製造方法に比べて極めて安価に戸車フレームを製造できるものである。
【００１５】  また、本発明に係る戸車フレームの製造方法によれば、長尺の角パイプを所定の大きさに切断する際に上記打ち抜き加工を同時に行うようにすれば、流れ作業によって短時間に戸車フレームを量産することができ、材料費の節減と相俟ってより安価に製造できるという効果を奏し得るものである。
【図面の簡単な説明】
【００１６】
【図１】本発明方法を実施するための角パイプの斜視図である。
【図２】角パイプを所定長さに切断した状態の斜視図である。
【図３】同所定長さに切断したパイプを加工する状態を表わす斜視図である。
【図４】本発明方法による戸車フレームの縦断正面図である。
【図５】従来方法を実施するための板金の平面図である。
【図６】従来方法によって製造された戸車フレームの正面図である。
【符号の説明】
【００１７】１・・・角パイプ
２・・・箱体
３・・・切起片
【図１】
2007327312.tif 000003
【図２】
2007327312.tif 000004
【図３】
2007327312.tif 000005
【図４】
2007327312.tif 000006
【図５】
2007327312.tif 000007
【図６】
2007327312.tif 000008
(57)【要約】【課題】    モーターとスクリューを用いて、常時発電し余剰分の電気エネルギーを作ることを課題とする。【解決手段】  入力電源から１と２のモーターが回転、不凍液流を作ると、３が発電する。この時、入力電源を切る。３から直流電気が発生し、２を回転させる。その後１のモーターを反対側に向きを変えると１が発電する。この電気エネルギーを得ることにより、この課題を解決する。【選択図】図３
2007327483.tif 000002
【特許請求の範囲】
【請求項１】
密封した状態で、不凍液流を使用し電動機を回転させ、常時、発電することを、特徴とする発電機。
【発明の詳細な説明】
【技術分野】
【０００１】  本発明は、発電機に関するものであり不凍液流によって、モーターを動かし常時発電するようにしたものである。
【背景技術】
【０００２】  従来から、発電機としての例は、特許文献１がある。
【特許文献１】  特開２００２−２４２８１４号公報
【発明の開示】
【発明が解決しようとする課題】
【０００３】  しかし、従来のような装置では、常時電気エネルギーは得られない。そこで本発明は電動機を用いて常時発電し、余剰分の電気エネルギーを、作ることを課題とする。
【発明を解決するための手段】
【０００４】  この課題を、解決するための請求項１の発明は、１８個のモーターで３個に分けられたモーターによる発電を特徴とする発電装置である。（図１）
【０００５】  密閉し不凍液を入れた容器に水中モーターを設置、スクリューを通じてモーターを回転させるために、始め入力電源が必要である。（図２）
【０００６】  入力電源を用い、１．２のモーターが回転し不凍液流を作った後、３のモーターが発電して２のモーターを回転させる
【０００７】  この時、２の入力電源を切り、２と３が自立して作動後１の入力電源を切り反対側に向きを変える。（図３）
【０００８】  １が向きを変えた後に、１から電気エネルギーが発生し、それを出力電源として使用する。（図３−５）
【０００９】  この装置は、環状になっており、６個の出力電源が得ることができ、その６個をまとめて１個にして使用する。
【発明の効果】
【００１０】  本発明により、雨、風、水の有無に関係なく、常時電気エネルギーを得ることが可能となる。
【発明を実施するための最良の形態】
【００１１】  図１は、１８個のモーターを環状に設置し、１８個のモーターうち１２個が不凍液流を作り、のこりの６個が発電することを特徴とする発電機である。【００１２】  環状の容器にすることにより、不凍液流が回転し常時発電することができる。
【実施例】
【００１３】  自家用発電【００１４】  不凍液は流動性のよい、粘度の低いものを使う。環状部分は、錆びにくいステンレス、エンビ、プラスチックなど用いる。モーター部は、プラスチックなど通常のものでよい。３のモーターは、２のモーターを直流電力で回転させるだけの出力電力が必要である。
【産業上の利用可能性】
【００１５】  本発明に関る発電機は、太陽光発電、風力発電、水力発電と類をなすクリーンエネルギーなので、産業上利用可能性を有する。
【図面の簡単な説明】
【００１６】
【図１】  環状容器と１８個のモーター部、入力電源と出力電源の配置図
【図２】  ３個のモーター部と始動時の断面図
【図３】  ３個のモーター部と出力電源に切りかえ後の断面図
【符号の説明】
【００１７】  １    出力電源となるモーター
２    ３からの直流電力で作動するモーター
３    直流電力を発生し２を作動させるモーター
４    切りかえスイッチ
５    出力配線
６    入力配線
７    逆向き切りかえつまみ
８    不凍液
９    切りかえスイッチボックス
１０  液を遮断する装置
【図１】
2007327483.tif 000003
【図２】
2007327483.tif 000004
【図３】
2007327483.tif 000005